(57)【特許請求の範囲】
【請求項１】
所定方向に搬送される証紙に印刷された文字を読取り可能に形成し、読取られた文字を利用して当該証紙の額面とその枚数とを計数可能に形成するとともに計数された枚数を額面別に集計可能に形成し、集計された額面別集計枚数を記憶可能かつ目視可能に出力可能に形成した、ことを特徴とする証紙読取計数出力装置。
【請求項２】
証紙を所定方向に搬送可能な搬送手段と，搬送中の証紙に印刷された文字を読取り可能な証紙文字読取り手段と，読取られた文字を利用して当該証紙の額面とその枚数とを計数する計数手段と，計数された枚数を額面別に集計する額面別集計手段と，集計された額面別集計枚数を記憶可能な集計テーブルと，集計された額面別集計枚数を目視可能に出力する出力手段とを設け、搬送された証紙の額面および枚数を計数可能であるとともに集計枚数を額面別に記憶可能かつ出力可能に構成した、ことを特徴とする証紙読取計数出力装置。
【請求項３】
前記搬送手段が、連続された複数枚の証紙からなる証紙シートを搬送可能に形成されている請求項２記載の証紙読取計数出力装置。
【請求項４】
前記搬送手段が、非連続の複数枚の証紙を収納可能なケースを搬送可能に形成されている請求項２記載の証紙読取計数出力装置。
【請求項５】
前記集計テーブルに記憶されている各額面別集計枚数のうちの各集計枚数を合計した合計枚数および各額面を合計した合計金額を含む集計結果を算出する集計結果算出手段を設けるとともに前記集計テーブルが算出された集計結果も記憶可能に形成されている請求項２から請求項４までのいずれか１項に記載された証紙読取計数出力装置。
【請求項６】
前記集計テーブルが前回および今回の各集計結果を記憶可能に形成されかつ前回および今回の各集計結果の差を算出する集計結果差算出手段が設けられている請求項５記載の証紙読取計数出力装置。
【請求項７】
前記出力手段が、前記集計結果差も目視可能に形成されている請求項６記載の証紙読取計数出力装置。
【請求項８】
前記出力手段が、表示出力および／または印字出力可能に形成されている請求項２から請求項７までのいずれか１項に記載された証紙読取計数出力装置。
【発明の詳細な説明】
【０００１】
【発明の属する技術分野】
本発明は、証紙に印刷された文字を読取りつつ額面とその枚数とを計数しかつ額面別に集計するとともに額面別集計枚数を記憶可能かつ目視可能に出力する証紙読取計数出力装置に関する。
【０００２】
【従来の技術】
切手、印紙等を含む証紙は、複数枚が連続した証紙シートとして作成され、郵便局員は顧客の所望する１または２以上の証紙を当該各証紙シートから引きちぎって販売している。
【０００３】
また、証紙は公のものでかつ金券に属するものであることから、慎重な管理が行われている。すなわち、規模にもよるが、個人的な証紙箱を持ち、業務開始および終了の際にいわゆる棚卸をして、販売実績と残りとの照会を行うことが義務付けられている。
【０００４】
一方、全局員に共通の証紙箱を採用する場合には、開局および閉局の都度、あるいは必要によってその間の適時に、棚卸をしている。
【０００５】
【発明が解決しようとする課題】
しかし、いずれの場合の棚卸作業も、残りの証紙枚数を数えかつ額面別に集計しなければならず多大な労力と時間とを要する。特に、いわゆる虫食い状態の証紙シートやバラバラ（非連続）の残り枚数を数えることは、裏面に糊が塗布されていることもあって、非常に煩わしいばかりか計数ミスや集計ミスを生じ易い。
【０００６】
本発明の目的は、証紙の棚卸作業を迅速かつ正確に行える取扱い容易な証紙読取計数出力装置を提供することにある。
【０００７】
【課題を解決するための手段】
請求項１の発明は、所定方向に搬送される証紙に印刷された文字を読取り可能に形成し、読取られた文字を利用して当該証紙の額面とその枚数とを計数可能に形成するとともに計数された枚数を額面別に集計可能に形成し、集計された額面別集計枚数を記憶可能かつ目視可能に出力可能に形成した、ことを特徴とする。かかる発明では、残りの証紙を搬送すると、当該証紙に印刷された文字が読取られかつ読取られた文字を利用してその額面と枚数が計数されるとともに額面別に集計される。この額面別集計枚数は記憶されかつ目視可能に出力される。したがって、残りの証紙が証紙シートのままであっても虫食い状態であったとしてもさらにバラバラであったとしても、額面別集計枚数を迅速かつ正確に目視確認できるから、棚卸作業能率を大幅に向上できる。
【０００８】
また、請求項２の発明は、証紙を所定方向に搬送可能な搬送手段と，搬送中の証紙に印刷された文字を読取り可能な証紙文字読取り手段と，読取られた文字を利用して当該証紙の額面とその枚数とを計数する計数手段と，計数された枚数を額面別に集計する額面別集計手段と，集計された額面別集計枚数を記憶可能な集計テーブルと，集計された額面別集計枚数を目視可能に出力する出力手段とを設け、搬送された証紙の額面および枚数を計数可能であるとともに集計枚数を額面別に記憶可能かつ出力可能に構成した、ことを特徴とする。
【０００９】
かかる発明では、証紙文字読取り手段は、搬送手段によって所定方向に搬送されている証紙に印刷された文字を読取る。すると、計数手段が読取られた文字を利用して額面と枚数とを計数するとともに額面別集計手段がその枚数を額面別に集計する。この額面別集計枚数は集計テーブルに記憶されかつ出力手段によって目視可能に例えば表示や印字によって出力される。
【００１０】
したがって、請求項１の発明の場合と同様な作用効果を奏し得ることはもとより、証紙を搬送手段に供給するだけでよいから、一段と迅速な棚卸ができかつ取扱いも容易である。
【００１１】
また、請求項３の発明は、前記搬送手段が、連続された複数枚の証紙からなる証紙シートを搬送可能に形成されている証紙読取計数出力装置である。
【００１２】
かかる発明では、搬送手段が完全な証紙シートでも虫食い状態の証紙シートでも搬送可能であるから、請求項２の発明の場合と同様な作用効果を奏し得る他、さらに証紙シートの棚卸を一段と迅速かつ容易に行える。
【００１３】
また、請求項４の発明は、前記搬送手段が、非連続の複数枚の証紙を収納可能なケースを搬送可能に形成されている証紙読取計数出力装置である。
【００１４】
かかる発明では、搬送手段がケースに収納された証紙を所定方向に搬送可能であるから、請求項２の発明の場合と同様な作用効果を奏し得る他、さらに非連続でバラバラの証紙の棚卸を一段と迅速かつ容易に行える。
【００１５】
また、請求項５の発明は、前記集計テーブルに記憶されている各額面別集計枚数のうちの各集計枚数を合計した合計枚数および各額面を合計した合計金額を含む集計結果を算出する集計結果算出手段を設けるとともに前記集計テーブルが算出された集計結果も記憶可能に形成されている証紙読取計数出力装置である。
【００１６】
かかる発明では、集計結果算出手段は、集計テーブルに記憶されている各額面別集計枚数のうちの各集計枚数を合計した合計枚数および各額面を合計した合計金額を含む集計結果を算出する。この集計結果も集計テーブルに記憶される。したがって、集計テーブルに記憶されている各集計結果を表示や印字により出力することが可能となる。よって、請求項２から請求項４までの発明の場合と同様な作用効果を奏し得る他、さらに完全な証紙シートおよび非連続でバラバラの証紙が混ざっているか否かに拘わらず総合的な判断ができるから、棚卸を一段と正確かつ迅速に行える。
【００１７】
また、請求項６の発明は、前記集計テーブルが前回および今回の各集計結果を記憶可能に形成されかつ前回および今回の各集計結果の差を算出する集計結果差算出手段が設けられている証紙読取計数出力装置である。
【００１８】
かかる発明では、集計結果差算出手段が、集計テーブルに記憶されている前回の集計結果と今回の集計結果との差を算出することができる。したがって、算出された例えば開局時と閉局時との差を表示や印字により出力することが可能となる。よって、請求項５の発明の場合と同様な作用効果を奏し得る他、さらに瞬時的に販売実績との比較ができるので、棚卸を一段と大幅に迅速化できる。
【００１９】
さらに、請求項７の発明は、前記出力手段が、前記集計結果差も目視可能に形成されている証紙読取計数出力装置である。
【００２０】
かかる発明では、出力手段は、集計結果差算出手段で算出された集計結果差を目視可能に出力することができる。したがって、請求項６の発明の場合と同様な作用効果を奏し得る他、さらに取扱いが一段と容易となる。
【００２１】
さらにまた、請求項８の発明は、前記出力手段が、表示出力および／または印字出力可能に形成されている証紙読取計数出力装置である。
【００２２】
かかる発明では、出力手段が額面別集計枚数や集計結果差を表示や印字により出力することができる。したがって、請求項２から請求項７までの発明の場合と同様な作用効果を奏し得る他、さらに証紙を搬送させかつ表示や印字を見るだけでよいから、より簡単に棚卸ができ専門的知識や熟練を要せず取扱いが極めて容易であるとともに印字として記録保持できる。
【００２３】
【発明の実施の形態】
以下、本発明の実施形態を図面を参照して説明する。
本証紙読取計数出力装置１０は、図１〜図３に示す如く、搬送手段２０と証紙文字読取り手段３０と計数手段（５１，５２）と額面別集計手段（５１，５２）と集計テーブル５３Ａと出力手段（５１，５２，５６，５７）とを設け、所定方向に搬送される証紙１００，１０１に印刷された文字を読取り可能に形成し、読取られた文字を利用して当該証紙の額面とその枚数とを計数可能に形成するとともに計数された枚数を額面別に集計可能に形成し、集計された額面別集計枚数を記憶可能かつ目視可能に出力可能に形成されている。
【００２４】
また、集計結果算出手段（５１，５２）および集計結果差算出手段（５１，５２）を設け、額面別集計枚数を目視可能とするに止まらず総括的な集計結果と集計結果差とを算出かつ出力可能に形成し、証紙棚卸作業の一層の簡素化・迅速化等々を図りかつ極めて取扱い容易に形成してある。
【００２５】
外観斜視図を示す図１において、証紙読取計数出力装置１０の本体１１の左側方には複数の証紙シート１００Ｓを収容可能なカセット１２が着脱可能に設けられかつその下方に排出部１７が設けられている。右側方には、ケース２７を挿入供給するためのガイド板１８が設けられている。さらに、その上面には、操作部５５と表示部５６とが目視可能に配設されている。
【００２６】
搬送手段２０は、図２に示す如く、ピックアップローラ２１，図示省略したガイドプレート，搬送モータ２３で回転駆動される搬送ローラ２４等を含み、全体として本体１１内に組込まれている。
【００２７】
この搬送手段２０は、カセット１２内のバネ１３Ｓで上方に付勢された載置台１３に積重ね収容された証紙シート１００Ｓをピックアップローラ２１で１枚ずつピックアップしかつ複数の搬送ローラ２４で矢印（所定）方向に搬送可能であるとともに、ガイド板１８にガイドされつつ挿入されたケース２７を矢印（所定）方向に搬送可能である。
【００２８】
ここに、証紙シート１００Ｓは連続された複数枚の証紙（例えば、切手，収入印紙，特許印紙等）１００，１０１からなり、カセット１２に収容されてから搬送される。図２に示す証紙１００は切手である。また、非連続な複数枚の証紙１００，１０１は、図１に示すようにケース２７に収容されて搬送される。証紙１０１は特許印紙である。
【００２９】
なお、カセット１２に収容する証紙シート１００Ｓは、完全なものに限らず一部分（例えば数枚）が引きちぎられた虫食い状態のものでもよい。ケース２７に収容される複数枚の証紙１００，１０１は、それぞれがバラバラの１枚に限らず図１に示すように例えば５枚の１０円切手（１００）が連続したものや１００００円の特許印紙（１０１）が７枚連続したものであってもよい。つまり、ケース２７に収容しなければ搬送できない証紙についてはケース２７に収容させて搬送する。
【００３０】
このケース２７は、少くとも読取センサ３３に向う面が透明とされる。この実施形態では、全面が透明の薄い合成樹脂シートを２枚重ねしかつ２辺を溶着した袋形状に形成されている。なお、図１に示す各証紙１００，１０１の額面（１０円，１００００円）は、説明便宜のために上向きとされているが、実際には下向きとしてケース２７に収容されかつ搬送される。
【００３１】
証紙文字読取り手段３０は、図２，図３に示す文字読取機能がパッケージされた素子を含む文字読取データ処理回路３１と，蛍光灯３２と，ＣＣＤからなる読取センサ３３とからなり、搬送手段２０によって搬送中の証紙１００，１０１に印刷された文字を読取ることができる。
【００３２】
詳しくは、証紙文字読取データ処理回路３１が、図４（Ａ）に示す読取センサ３３で読取った模様（絵柄），文字（数字，漢字，ひらがな）等を含む証紙画像から、同（Ｂ）に示す如く文字列とその位置とを抽出読取りし、かつ同（Ｃ）に示すように座標的にデータ処理しかつ記憶する。
【００３３】
図３において、制御ユニット５０は、ＣＰＵ５１，ＲＯＭ５２，ＲＡＭ５３，時計回路（ＴＯＤ）５４，操作部５５，表示部５６，印字部５７，入出力ポート（Ｉ／Ｏ）５８等を含み、装置全体を駆動制御することができる。２３Ｄは搬送ローラ２４を回転させる搬送モータ２３のモータドライバで、２６Ｄはシャッター（図示省略）の開閉モータ２６のモータドライバであり、文字読取データ処理回路３１とともに便宜的に制御ユニット５０内に示してある。
【００３４】
なお、シャッターは、図１に示すガイド板１８上に設けられた挿入口（図示省略）を開閉するものであり、証紙シート１００Ｓの搬送中にケース２７の挿入を防止するために設けられている。
【００３５】
ＲＯＭ５２には、図５〜図８に示す各制御プログラムが格納されてる。ＲＡＭ５３には、額面別集計枚数を記憶させるための集計テーブル５３Ａが設けられている。また、実質的には集計テーブル５３Ａを形成するものであるが、説明便宜のために図示した合計テーブル５３Ｂおよびリストテーブル５３Ｃが設けられている。
【００３６】
操作部５５には、図１に示す始めボタン，終りボタン，記憶ボタン，取消ボタン，呼出ボタン，選択矢印ボタン，差ボタンが設けられている。出力手段の一部を成す表示部５６は、ＬＣＤから形成され、証紙１００，１０１の額面および枚数，額面別集計枚数，集計結果（合計枚数，合計金額等），集計結果差や各種ガイダンス等を表示出力可能である。また、出力手段の一部を成す印字部５７は、サーマルプリンタから形成され、表示内容（各種ガイダンス等を除く）と同様な内容を用紙５７Ｐに印字出力することができる。このプリンタ（５７）は、図１，図２に示す如く、本体１１内に収容されている。
【００３７】
入出力ポート５８には、本体１１にカセット１２が装着されていることを検出可能なカセットセンサ１５，カセット１２（１３）に証紙シート１００Ｓが載置収容されていることを検出可能な証紙シートセンサ１６，搬送モータ２３でピックアップローラ２１を回転させるタイミングを制御するためのソレノイド２２，搬送手段２０によって搬送されている証紙シート１００Ｓを検出可能で搬送路の左右に取付けられた一対の搬送証紙センサ２５Ｌ，２５Ｒおよびケース２７が挿入口に挿入供給されたことを検出可能なケースセンサ２８が接続されている。
【００３８】
さて、証紙シート搬送制御手段（ＣＰＵ５１，ＲＯＭ５２）は、搬送手段２０と関与して証紙シート１００Ｓを搬送制御する。すなわち、始めボタンが押下操作（ＯＮ）されかつカセットセンサ１５でカセット１２が装着されていることが確認された場合（図５のＳＴ１０のＹＥＳ，ＳＴ１１のＹＥＳ）に、搬送モータ２３を回転駆動しかつ適時にソレノイド２２をＯＮさせて証紙シート１００Ｓを１枚ずつ所定方向に搬送制御（ＳＴ１３）する。始めボタンのＯＮは、終りボタンがＯＮされるまで、ＲＡＭ５３のワークエリアに記憶保持される。
【００３９】
但し、図２に示す読取センサ３３の僅かに手前の証紙シート検出位置に配設された搬送証紙シートセンサ２５Ｌ，２５Ｒによって検出された搬送中の証紙シート１００Ｓが、正常搬送判別手段（ＣＰＵ５１，ＲＯＭ５２）によって正常搬送されていないつまり斜め搬送や重ね搬送されていると判別（ＳＴ１４のＮＯ）された場合には、当該証紙シート１００Ｓを直ちに排出部１７へ排出（ＳＴ１５）するものと形成されている。この際は、証紙１００，１０１の文字は読取りされない。
【００４０】
さらに、証紙シート搬送制御手段（５１，５２）は、カセット１２が引抜かれたことがカセットセンサ１５の作動に基き割込み検出された場合に、搬送中の証紙シート１００Ｓを排出部１７へ緊急排出（図８のＳＴ５３）しかつ次の証紙シート１００Ｓのピックアップ動作を含む搬送を停止（ＳＴ５４）する。また、搬送中の証紙シート１００Ｓの少なくとも先端が上記した証紙シート検出位置を通過している場合（ＳＴ５１のＹＥＳ）には、証紙文字読取り等の停止信号を出力（ＳＴ５２）するものと形成されている。
【００４１】
次に、ガイダンス表示制御手段（ＣＰＵ５１，ＲＯＭ５２）は、カセット１２が装着されていないか，カセット１２が装着されていても証紙シート１００Ｓが検出されない場合（図５のＳＴ１１のＮＯ，ＳＴ１２のＮＯ）に、終了選択ガイダンス（例えば、“終了ですか？”）を表示部５６に表示（ＳＴ１６）する。
【００４２】
また、シャッター開閉制御手段（ＣＰＵ５１，ＲＯＭ５２）は、開閉モータ２６を回転制御してシャッターを開いて上記した挿入口を開放（ＳＴ１７）する。つまり、ケース２７を挿入可能状態にする。
【００４３】
ケース搬送制御手段（ＣＰＵ５１，ＲＯＭ５２）は、搬送手段２０と関与してシート２７を所定方向に搬送制御する。すなわち、ケースセンサ２８の作動に基きケース２７の挿入が検出された場合（ＳＴ１８のＹＥＳ）に、搬送モータ２３を回転駆動して当該ケース２７を所定方向へ搬送（ＳＴ１９）する。この際は、ソレノイド２２はピックアップ動作されない。
【００４４】
ここにおいて、読取証紙文字読込み制御手段（ＣＰＵ５１，ＲＯＭ５２）は、証紙文字読取り手段３０（３１）が読取った文字とその位置とを読込む。すなわち、正常搬送（図５のＳＴ１４のＹＥＳ）された証紙シート１００Ｓの各証紙１００およびケース２７に収容して搬送（ＳＴ１９）された各証紙１００，１０１の読取文字およびその位置を、文字読取データ処理回路３１に関与して読込み制御する（図５のＳＴ１００，図７のＳＴ１０２）。読込んだ読取証紙文字およびその位置は、ＲＡＭ５３のワークエリアに記憶（ＳＴ１０２）される。
【００４５】
なお、ガイダンス表示制御手段（５１，５２）は、表示部５６に“証紙文字読取り中”を表示（ＳＴ１０１）する。
【００４６】
次に、計数手段は、計数制御プログラムを格納させたＲＯＭ５２とＣＰＵ５１とから形成され、証紙文字読取り手段３０で読取られた読取証紙文字（およびその位置）を利用して額面およびその枚数を累積して計数する（図７のＳＴ１０３）。
【００４７】
また、額面別集計手段は、計数（ＳＴ１０３）された枚数を額面別に集計する手段で、額面別集計制御プログラムを格納させたＲＯＭ５２とＣＰＵ５１とから形成され、図７のＳＴ１０４で実行される。額面（例えば１００円）の計数枚数が例えば５００枚と集計される。各額面別集計枚数は、記憶制御手段（ＣＰＵ５１，ＲＯＭ５２）によって集計テーブル５３Ａに記憶（ＳＴ１０５）される。
【００４８】
出力手段は、額面別集計枚数を目視可能に出力する手段で、出力制御プログラムを格納させたＲＯＭ５２とＣＰＵ５１と表示部５６と印字部５７とから形成されている。すなわち、表示部５６に表示出力（ＳＴ１０６）しかつ印字部５７で用紙５７Ｐに印字出力（ＳＴ１０６）することができる。
【００４９】
また、集計結果算出手段は、集計結果算出プログラムを格納させたＲＯＭ５２とＣＰＵ５１とから形成され、集計テーブル５３Ａに記憶されている各額面別集計枚数を合計した合計枚数および合計金額を含む集計結果を算出（図６のＳＴ２３）する。すなわち、終了選択ガイダンス（図５のＳＴ１６）を参照して終りボタンを押下操作（ＯＮ）する（図６のＳＴ２１のＹＥＳ）と、集計テーブル５３Ａに記憶（図７のＳＴ１０５，図６のＳＴ２２のＹＥＳ）されている各額面別集計枚数（例えば、５円×２枚と１０円×５枚）の合計枚数（７枚＝２＋５）とその合計金額（６０円＝５×２＋１０×５）とを算出（ＳＴ２３）する。
【００５０】
記憶制御手段（５１，５２）は、算出された集計結果を合計テーブル（集計テーブル）５３Ｂに記憶（ＳＴ２４）する。この際も、出力手段（５１，５２，５６，５７）が働く。また、ガイダンス表示制御手段（ＣＰＵ５１，ＲＯＭ５２）が、記憶・取消選択ガイダンス（例えば、“記憶しますか？  取り消しますか？”）を表示部５６に表示する（ＳＴ２６）。
【００５１】
操作部５５の取消ボタンを押下操作（ＯＮ）すると、取消制御手段（ＣＰＵ５１，ＲＯＭ５２）が合計テーブル５３Ｂに記憶された合計（集計結果）を取消す（ＳＴ３２のＹＥＳ，ＳＴ３３）。記憶ボタンをＯＮする（ＳＴ２７のＹＥＳ）と、リスト作成手段（ＣＰＵ５１，ＲＯＭ５２）が時計回路５４から読出した当該時刻を含むリストに作成（ＳＴ２９）する。このリストは、記憶制御手段（５１，５２）によってリストテーブル（集計テーブル）５３Ｃに記憶（ＳＴ３０）される。この際、出力手段（５１，５２，５６，５７）は、リストを印字出力（ＳＴ３１）する。表示出力（ＳＴ３１）もされる。
【００５２】
このリストテーブル５３Ｃに記憶されたリスト（集計結果）は、呼出ボタンをＯＮ（図６のＳＴ３４のＹＥＳ）することにより、何時でも表示（印字）出力（ＳＴ３７）することができる。すなわち、出力手段（５１，５２，５６，５７）は、リストテーブル５３Ｃから記憶リストを読出し（ＳＴ３５，ＳＴ３６）て、表示部５６に表示出力（ＳＴ３７）する。例えば、前回集計結果と今回集計結果とを同時に目視確認することができる。
【００５３】
さらに、カーソル方式の選択矢印ボタンを用いて２つの集計結果（差算出対象）を選択（ＳＴ３８のＹＥＳ）しかつ差ボタンをＯＮ（ＳＴ３９のＹＥＳ）すると、集計結果差算出プログラムを格納させたＲＯＭ５２とＣＰＵ５１とからなる集計結果差算出手段が、選択された２つの集計結果（合計）の差を算出（ＳＴ４０）する。算出された差は、出力手段（５１，５２，５５，５６）によって出力（ＳＴ４１，ＳＴ４２）される。
【００５４】
なお、この実施形態では、集計テーブル（５３Ｂ）に前回リストと今回リストとを記憶可能とされているので、差を算出・出力した後には前回リストを消去しかつ今回リストを前回リストと更新（ＳＴ４３）するものとしてある。
【００５５】
次に、この実施形態の作用・動作を説明する。
例えば図１に示す１０円切手（証紙１００）が５枚連続したものと、これと非連続な１００００円の特許印紙（証紙１０１）が７枚連続したものとをケース２７に収容させ、ガイド板１８にセットしたとする。
【００５６】
そして、始めボタンをＯＮ（図５のＳＴ１０のＹＥＳ）すると、カセット１２が装着されていないので（ＳＴ１１のＮＯ）、ガイダンス表示制御手段（５１，５２）が表示部５６に終了選択ガイダンスを表示（ＳＴ１６）する。シャッター開閉制御手段（５１，５２）は、シャッターを開放（ＳＴ１７）する。オペレータは、ケース２７を挿入口に軽く押込む。すると、ケースセンサ２８の作動に基き、ＣＰＵ５１はケース２７を検出したと判断（ＳＴ１８のＹＥＳ）する。
【００５７】
ケース搬送制御手段（５１，５２）は、搬送手段２０と関与して、ケース２７を所定方向に搬送させるように制御する（ＳＴ１９）。すると、証紙文字読取り手段３０が、ケース２７内の各証紙１００，１０１に印刷された文字とその位置とを読取る（ＳＴ１００）。
【００５８】
ガイダンス表示制御手段（５１，５２）は“証紙文字読取り中”を表示（図７のＳＴ１０１）し、読取証紙文字読込み制御手段（５１，５２）は、証紙文字読取り手段３０で読取られた証紙文字および位置を読込んでＲＡＭ５３のワークエリアに記憶（ＳＴ１０３）する。
【００５９】
計数手段（５１，５２）は、読込まれた読取証紙文字（およびその位置）を利用して当該証紙の額面とその枚数とを計数（ＳＴ１０３）しかつ額面別集計手段（５１，５２）によって額面別に集計（ＳＴ１０４）されかつ記憶制御手段（５１，５２）によって集計テーブル５３Ａに記憶（ＳＴ１０５）される。この場合の額面別集計枚数は、“１０円切手×５枚”と“１００００円特許印紙×７枚”である。
【００６０】
この額面別集計枚数は、出力手段（５１，５２，５６，５７）によって表示出力および印字出力（ＳＴ１０６）される。しかる後に、シャッター開閉制御手段（５１，５２）は、シャッターを閉鎖（図５のＳＴ２０）する。したがって、各額面ごとの棚卸しを迅速かつ正確に行える。
【００６１】
終りボタンをＯＮ（図６のＳＴ２１のＹＥＳ）すると、集計結果算出手段（５１，５２）によって合計つまり合計枚数（１２＝５＋７）と合計金額（７００５０＝５０＋７００００＝１０×５＋１００００×７）とが算出（ＳＴ２３）され、記憶制御手段（５１，５２）によって合計テーブル（集計テーブル）５３Ｂに記憶（ＳＴ２４）される。
【００６２】
出力手段（５１，５２，５６，５７）は、表示（印字）出力（ＳＴ２５）する。すなわち、図１に示す如く表示部５６に出力される。したがって、瞬間的に証紙シート１００Ｓの体を成さないバラバラの各証紙１００，１０１の棚卸しができる。
【００６３】
ガイダンス表示制御手段（５１，５２）は、記憶・取消選択ガイダンスを表示（ＳＴ２６）する。ここで、記憶ボタンをＯＮ（ＳＴ２７のＹＥＳ）すれば、リスト作成手段（５１，５２）と記憶制御手段（５１，５２）とが働き、当該集計結果は時刻とともにリストとしてリストテーブル（集計テーブル）５３Ｃに記憶（ＳＴ２８〜３０）される。出力手段（５１，５２，５６，５７）によって用紙５７Ｐに印字出力（ＳＴ３１）される。取消ボタンをＯＮ（ＳＴ３２のＹＥＳ）すれば、合計テーブル５３Ｂから当該集計結果は取消される（ＳＴ３３）。
【００６４】
次に、図２に示す５０円切手（証紙１００）が例えば１００枚連続した証紙（切手）シート１００Ｓと１００円切手（証紙１００）が例えば１００枚連続した証紙（切手）シート１００Ｓとを重ねて収容させたカセット１２を図１に示す如く本体１１に装着し、かつ前述した場合と同じ証紙１００（１０円×５枚，１００００円×７枚）を収容させた図１に示すケース２７をガイド板１８にセットした場合を考える。
【００６５】
ここで、始めボタンをＯＮ（図５のＳＴ１０のＹＥＳ）すると、カセットセンサ１５に基きカセット装着と判断（ＳＴ１１のＹＥＳ）されかつ証紙シートセンサ１６に基き証紙シートが有ると判断（ＳＴ１２のＹＥＳ）される。すると、証紙シート搬送制御手段（５１，５２）が働く。すなわち、搬送モータ２３が回転されかつソレノイド２２がＯＮされ、上側の証紙シート（５０円×１００枚）１００Ｓが所定方向に搬送（ＳＴ１３）される。
【００６６】
その先端が証紙シート検出位置を通過し、かつ左右一対の搬送証紙センサ２５Ｌ，２５Ｒに基き正常搬送制御手段（５１，５２）が斜め送りや２重送りのない正常搬送と判断（ＳＴ１４のＹＥＳ）すると、証紙文字読取り手段３０が各証紙に印刷された額面と位置とを読取るとともに読取証紙文字読込み制御手段（５１，５２）がそれらを読込む〔ＳＴ１００（図７のＳＴ１０２）〕。
【００６７】
すると、計数手段（５１，５２）で計数（ＳＴ１０９）された額面および枚数は１００枚でかつ額面別集計手段（５１，５２）で集計（ＳＴ１１０）された種類別集計枚数は５０円×１００枚である。これらは、出力手段（５１，５２等）によって表示部５６に表示出力（ＳＴ１１２）される。
【００６８】
しかる後に、２枚目（下側）の証紙シート１００Ｓ（１００円×１００枚）が搬送（図５のＳＴ１０〜ＳＴ１３）され、同様に計数（図７のＳＴ１０３）されかつ集計（ＳＴ１０４）される。この際の計数額面は１００円で枚数は１００枚でかつ額面別集計枚数は１００円×１００枚である。
【００６９】
これが終了すると、ＣＰＵ５１によって証紙シート１００Ｓが無いと判断（図５のＳＴ１２のＹＥＳ）される。すると、終了選択ガイダンスが表示（ＳＴ１６）され、シャッターが開放（ＳＴ１７）される。したがって、ケース２７を挿入口内に軽く押込むと、ケース搬送制御手段（５１，５２）が働き所定方向に搬送（ＳＴ１９）する。ＳＴ１００（図７）で計数された額面は１０円と１００００円とで、その枚数は５枚と７枚であり、額面別集計枚数は１０円×５枚と１００００円×７枚とである。
【００７０】
かくして、終りボタンをＯＮ（図６のＳＴ２１のＹＥＳ）すると、集計結果算出手段（５１，５２）によって集計結果が算出（ＳＴ２３）され合計テーブル５３Ｂに記憶（ＳＴ２４）される。この際の集計結果は、合計枚数（２１２枚＝１００＋１００＋５＋７）と合計金額（８５０５０円＝５０００＋１００００＋５０＋７００００）である。ここで、記憶ボタンをＯＮ（ＳＴ２７のＹＥＳ）して、リストテーブル５３Ｃにリストとして記憶（ＳＴ３０）しておく。
【００７１】
呼出ボタンをＯＮ（ＳＴ３４のＹＥＳ）すると、出力手段（５１，５２，５６，５７）がリストテーブル５３Ｃから記憶リストを読出し（ＳＴ３６）かつ表示部５６に表示出力（ＳＴ３７）する。リストテーブル（集計テーブル）５３Ｃに記憶されている前回の集計結果（リスト）は、合計枚数が５５０枚で合計金額が５３１０００円である。このリスト内訳は、５０円切手×１００枚の証紙シート１００Ｓが２枚分の（１００００円×２００枚）と，１００円切手×１００枚の証紙シート１００Ｓが２枚分の（２００００円×２００枚）と，１０円切手×１００枚の証紙シート１００Ｓが１枚分の（１０００円×１００枚）と，１００００円特許印紙×５０枚の証紙シート１００Ｓの（５０００００円×５０枚）であったとする。
【００７２】
そして、選択矢印ボタンを用いて前回集計結果（５３１０００円×５５０枚）と今回集計結果（８５０５０円×２１２枚）とを選択（ＳＴ３８のＹＥＳ）しかつ差ボタンをＯＮ（ＳＴ３９のＹＥＳ）すると、集計結果差手段（５１，５２）が集計結果差（４４５９５０円×３３８枚）を算出（ＳＴ４０）する。出力手段（５１，５２，５６，５７）は、表示部５６に表示出力（ＳＴ４１）しかつ用紙５７Ｐに印字出力（ＳＴ４２）する。したがって、販売実績（総金額）と集計結果差を比較すれば、総合的に迅速かつ正確に棚卸しすることができる。
【００７３】
なお、各証紙（額面）ごとに選択（ＳＴ３８のＹＥＳ）して集計結果差算出手段（５１，５２）を働かせれば、各証紙（額面）ごとの棚卸しをすることができる。例えば５０円切手は、前回リストが〔（５０円×１００枚）シート×２〕でかつ今回リストが〔（５０円×１００枚）シート×１〕であるから、その差は証紙（５０円切手×１００枚）シートの１枚分が販売されたことになる。また、１０円切手は、前回リストが〔（１０円×１００枚）シート×１〕でかつ今回リストがバラの５枚であるから、その差は９５枚分の９５０円が販売されたことになる。
【００７４】
しかして、この実施形態によれば、所定方向に搬送される証紙に印刷された文字を読取り可能に形成し、読取られた文字を利用して当該証紙の額面とその枚数とを計数可能に形成するとともに計数された枚数を額面別に集計可能に形成し、集計された額面別集計枚数を記憶可能かつ目視可能に出力可能に形成されているので、残りの証紙１００，１０１が証紙シート１００Ｓのままであっても虫食い状態であったとしてもさらにバラバラであったとしても、額面別集計枚数を迅速かつ正確に目視確認できるから、棚卸作業能率を大幅に向上できる。
【００７５】
また、搬送手段２０と証紙文字読取り手段３０と計数手段（５１，５２）と額面別集計手段（５１，５２）と集計テーブル５３Ａと出力手段（５１，５２，５６，５７）とを設け、搬送された証紙１００，１０１の印刷された額面とその枚数とを計数可能であるとともに集計枚数を額面別に記憶かつ出力可能に形成されているので、証紙１００，１０１を搬送手段２０に供給するだけでよい。したがって、一段と迅速な棚卸ができかつ取扱いも容易である。
【００７６】
また、証紙文字読取り手段３０が、読取った証紙文字（額面）とその位置とを読取可能かつ座標データとして記憶可能に形成されているので、計数手段（５１，５２）の簡素化を図れるとともに額面とその枚数とをより迅速かつ正確に計数することができる。
【００７７】
また、操作部５５と表示部５６とが本体１１の上面に配設されているので、取扱いが簡単で正確な棚卸ができる。
【００７８】
また、ガイダンス表示制御手段（５１，５２）を設けて終了選択ガイダンス，記憶・取消選択ガイダンス等を表示可能に形成されているので、この点からも取扱いが非常に容易である。
【００７９】
また、搬送手段２０が連続された複数枚の証紙からなる証紙シート１００Ｓを搬送可能に形成されているので、完全なあるいは一部分が虫食い状態である証紙シート１００Ｓの棚卸を一段と迅速かつ容易に行える。
【００８０】
また、搬送手段２０が非連続の複数枚の証紙を収納可能なケース２７を搬送可能に形成されているので、非連続でバラバラの証紙の棚卸を一段と迅速かつ容易に行える。
【００８１】
また、搬送手段２０が証紙シート１００Ｓおよびケース２７のいずれも連続的に搬送可能に形成されているので、必然的に残るバラバラの証紙１００，１０１を、完全または虫食い状態の証紙シート１００Ｓの読取りに引続いて、読取り作業することができる。したがって、作業能率をより向上できる。
【００８２】
また、正常搬送判別手段（５１，５２）を設け、証紙シート１００Ｓが斜め送りや２重送りされていることを判別可能かつ非正常搬送と判別された場合には当該証紙シート１００Ｓを排出部１７に緊急排出可能に形成されているので、証紙１００，１０１の画像読取りの正確性を保障することができるとともに作業能率を高められる。
【００８３】
また、ガイド板１８上の挿入口を開閉するシャッターとシャッター開閉制御手段（５１，５２）とを設け、証紙シート１００Ｓの搬送中にはケース２７を挿入不能に形成されているので、確実な読取り作業ができる。
【００８４】
さらに、集計テーブル５３Ａに記憶されている各額面別集計枚数を合計した合計枚数および合計金額を含む集計結果を算出する集計結果算出手段を設けるとともに集計テーブル５３Ａ（５３Ｂ）が算出された集計結果も記憶可能に形成されているので、集計テーブル（５３Ｂ）に記憶されている各集計結果を表示や印字により出力することができる。したがって、完全な証紙シート１００Ｓおよび非連続でバラバラの証紙１００，１０１が混ざっているか否かに拘わらず総合的な判断ができるから、棚卸を一段と正確かつ迅速に行える。
【００８５】
さらに、集計テーブル５３Ａ（５３Ｃ）が前回および今回の各集計結果を記憶可能に形成されかつ前回および今回の各集計結果の差を算出する集計結果差算出手段（５１，５２）が設けられているので、算出された例えば開局時と閉局時との差を表示や印字することができる。したがって、瞬時的に販売実績との比較ができるので、棚卸を一段と大幅に迅速化できる。
【００８６】
さらに、リスト作成手段（５１，５２）を設け集計結果を時刻を含むリストに作成しかつこのリストを集計テーブル（５３Ｂ）に記憶可能に形成されているので、前後の比較をより正確に行える。
【００８７】
さらにまた、出力手段（５１，５２，５６，５７）が集計結果差も目視可能に形成されているので、取扱いが一段と容易となる。
【００８８】
さらにまた、出力手段（５１，５２，５６，５７）が表示出力および印字出力可能に形成されているので、額面別集計枚数や集計結果差を表示や印字により出力することができる。したがって、証紙１００，１０１を搬送させかつ表示や印字を見るだけでよいからより簡単に棚卸ができ専門的知識や熟練を要せず取扱いが極めて容易であるとともに印字として記録保持できる。
【００８９】
【発明の効果】
請求項１の発明によれば、所定方向に搬送される証紙に印刷された文字を読取り可能に形成し、読取られた文字を利用して当該証紙の額面とその枚数とを計数可能に形成するとともに計数された枚数を額面別に集計可能に形成し、集計された額面別集計枚数を記憶可能かつ目視可能に出力可能に形成されているので、残りの証紙が証紙シートのままであっても虫食い状態であったとしてもさらにバラバラであったとしても、額面別集計枚数を迅速かつ正確に目視確認できるから、棚卸作業能率を大幅に向上できる。
【００９０】
また、請求項２の発明によれば、搬送手段と証紙文字読取り手段と計数手段と額面別集計手段と集計テーブルと出力手段とを設け、搬送された証紙の額面および枚数を計数可能であるとともに集計枚数を額面別に記憶可能かつ出力可能に構成されているので、請求項１の発明の場合と同様な効果を奏し得ることはもとより、証紙を搬送手段に供給するだけでよいから、一段と迅速な棚卸ができかつ取扱いも容易である。
【００９１】
また、請求項３の発明によれば、搬送手段が連続された複数枚の証紙からなる証紙シートを搬送可能に形成されているので、搬送手段が完全な証紙シートでも虫食い状態の証紙シートでも搬送可能である。したがって、請求項２の発明の場合と同様な効果を奏し得る他、さらに証紙シートの棚卸を一段と迅速かつ容易に行える。
【００９２】
また、請求項４の発明によれば、搬送手段が非連続の複数枚の証紙を収納可能なケースを搬送可能に形成されているので、請求項２の発明の場合と同様な効果を奏し得る他、さらに非連続でバラバラの証紙の棚卸を一段と迅速かつ容易に行える。
【００９３】
また、請求項５の発明によれば、集計結果算出手段を設けるとともに集計テーブルが算出された集計結果も記憶可能に形成されているので、集計テーブルに記憶されている各集計結果を表示や印字により出力することが可能となる。よって、請求項２から請求項４までの発明の場合と同様な効果を奏し得る他、さらに完全な証紙シートおよび非連続でバラバラの証紙が混ざっているか否かに拘わらず総合的な判断ができるから、棚卸を一段と正確かつ迅速に行える。
【００９４】
また、請求項６の発明によれば、集計テーブルが前回および今回の各集計結果を記憶可能に形成されかつ集計結果差算出手段が設けられているので、算出された例えば開局時と閉局時との集計結果差を表示や印字により出力することが可能となる。よって、請求項５の発明の場合と同様な効果を奏し得る他、さらに瞬時的に販売実績との比較ができるので、棚卸を一段と大幅に迅速化できる。
【００９５】
さらに、請求項７の発明によれば、出力手段が集計結果差も目視可能に形成されているので、集計結果差算出手段で算出された集計結果差を目視可能に出力することができる。したがって、請求項６の発明の場合と同様な効果を奏し得る他、さらに取扱いが一段と容易となる。
【００９６】
さらにまた、請求項８の発明によれば、出力手段が表示出力および／または印字出力可能に形成されているので、額面別集計枚数や集計結果差を表示や印字により出力することができる。したがって、請求項２から請求項７までの発明の場合と同様な効果を奏し得る他、さらに証紙を搬送させかつ表示や印字を見るだけでよいから、より簡単に棚卸ができ専門的知識や熟練を要せず取扱いが極めて容易であるとともに印字として記録保持できる。
【図面の簡単な説明】
【図１】本発明の実施形態を示す外観斜視図である。
【図２】同じく、主に搬送手段を説明するための分解斜視図である。
【図３】同じく、制御ユニットを説明するためのブロック図である。
【図４】同じく、証紙文字読取り処理を説明するための図である。
【図５】同じく、動作を説明するためのフローチャート（１）である。
【図６】同じく、動作を説明するためのフローチャート（２）である。
【図７】同じく、動作を説明するためのフローチャート（３）である。
【図８】同じく、動作を説明するためのフローチャート（４）である。
【符号の説明】
１０  証紙読取計数出力装置
１１  本体
１２  カセット
１３  載置台
１５  カセットセンサ
１６  証紙センサ
１７  排出部
２０  搬送手段
２３  搬送モータ
２４  搬送ローラ
２５  搬送証紙センサ
２６  開閉モータ
２７  ケース
２８  ケースセンサ
３０  証紙文字読取り手段
３１  文字読取データ処理回路
３２  蛍光灯
３３  読取センサ
５０  制御ユニット
５１  ＣＰＵ（計数手段，額面別集計手段，出力手段、集計結果算出手段、集計結果差算出手段）
５２  ＲＯＭ（計数手段，額面別集計手段，出力手段、集計結果算出手段、集計結果差算出手段）
５３  ＲＡＭ
５３Ａ  集計テーブル
５３Ｂ  合計テーブル（集計テーブル）
５３Ｃ  リストテーブル（集計テーブル）
５４  時計回路
５５  操作部
５６  表示部（出力手段）
５７  印字部（出力手段）
５７Ｐ  用紙
５８  入出力ポート
１００，１０１  証紙
１００Ｓ  証紙シート
【図１】
0003693415.tif 000002
【図２】
0003693415.tif 000003
【図３】
0003693415.tif 000004
【図４】
0003693415.tif 000005
【図５】
0003693415.tif 000006
【図６】
0003693415.tif 000007
【図７】
0003693415.tif 000008
【図８】
0003693415.tif 000009